(57)【要約】【課題】複数の画像を並べて表示できるカメラシステムにおいて、利便性を高める。【解決手段】カメラシステム１００は、撮像光学系Ｌと、撮像部４５と、液晶モニタ１６と、画像表示制御部１５と、を備えている。液晶モニタ１６は、撮像部４５で取得された複数の画像を並べて表示可能である。画像表示制御部１５は、撮像部４５により取得された画像の一部である画像Ａ１を基準画像Ａとして液晶モニタ１６に表示させ、画像Ａ１とは異なるタイミングで撮像部４５により取得された画像の一部を比較画像Ｂとして液晶モニタ１６に表示させる。画像表示制御部１５は、対称軸５１ａを基準に反転した状態で画像Ａ１を基準画像Ａとして表示させる。【選択図】図１３
2008294981.tif 000002
【特許請求の範囲】
【請求項１】
被写体の光学像を形成する撮像光学系と、
前記光学像を画像信号に変換し前記被写体の画像を取得する撮像部と、
前記撮像部で取得された複数の前記画像を並べて表示可能な表示部と、
前記撮像部により取得された第１画像の少なくとも一部を基準画像として前記表示部に表示させ、前記第１画像とは異なるタイミングで前記撮像部により取得された第２画像の少なくとも一部を比較画像として前記表示部に表示させる表示制御部と、を備え、
前記表示制御部は、前記第１画像の少なくとも一部および第２画像の少なくとも一部のうち一方を、前記基準画像および比較画像のうちの一方として、所定の対称軸を基準に反転した状態で表示させる、
カメラシステム。
【請求項２】
前記表示制御部は、前記表示部の表示領域に想定された基準枠に基づいて、前記第１画像の少なくとも一部および第２画像の少なくとも一部を決定する、
請求項１に記載のカメラシステム。
【請求項３】
前記対称軸は、前記基準枠の一部である、
請求項２に記載のカメラシステム。
【請求項４】
前記基準画像および比較画像は、前記対称軸を挟んで並んだ状態で表示されている、
請求項３に記載のカメラシステム。
【請求項５】
前記対称軸は、前記基準画像および比較画像の境界線と一致している、
請求項４に記載のカメラシステム。
【請求項６】
前記表示制御部は、前記対称軸に基づいて前記表示部における前記基準画像および比較画像の配置を決定する、
請求項５に記載のカメラシステム。
【請求項７】
外部から情報を入力可能な操作部をさらに備え、
前記第１画像における前記基準画像の範囲および前記第２画像における前記比較画像の範囲のうち一方に関する範囲情報が前記操作部に入力された場合、前記表示制御部は、前記範囲情報に基づいて前記基準画像および比較画像を前記表示部に表示させる、
請求項６に記載のカメラシステム。
【請求項８】
前記基準画像および比較画像のうち一方における前記対称軸の位置に関する対称軸情報が前記操作部に入力された場合、前記表示制御部は、前記対称軸情報に基づいて前記表示部に反転表示を行わせる、
請求項７に記載のカメラシステム。
【請求項９】
前記第１および第２画像のうち少なくとも一方における合焦領域と非合焦領域との境界を検出する境界検出部をさらに備え、
前記表示制御部は、前記境界検出部により検出された前記境界周辺を前記基準画像および比較画像として前記表示部に表示させる、
請求項４に記載のカメラシステム。
【発明の詳細な説明】
【技術分野】
【０００１】
本発明は、カメラシステム、特に、複数の画像を並べて表示できるカメラシステムに関する。
【背景技術】
【０００２】
近年、一眼レフデジタルカメラが急速に普及している。この一眼レフデジタルカメラでは、光学ファインダを用いて被写体を観察する場合、撮像光学系に入射した光が、光路上に配置された反射ミラーにより反射され、ファインダ光学系に導かれる。この結果、ペンタプリズム等を介して被写体像が正立像に変換され、光学ファインダに導かれる。これにより、撮影者は、撮像光学系により形成された被写体像を光学ファインダから観察できる。このように、通常は光路上に反射ミラーが配置されている。
一方、被写体の光学像を画像信号に変換する場合は、反射ミラーが光路から待避し、撮像光学系からの光が撮像素子に入射する。これにより、撮像素子において光電変換が行われ、被写体の画像データが得られる。撮影が終了すると、反射ミラーは光路上に挿入され定位置に戻る。このような反射ミラーの動作は、一眼レフカメラであれば、従来の銀塩カメラでも、デジタルカメラでも同様である。
【０００３】
しかし、反射ミラーの定位置が光路上である場合、撮像素子に撮像光学系からの光が入射しない。このため、デジタルカメラの場合、前述のシステムでは撮影者が液晶モニタを用いて被写体を観察するモニタ撮影モードを実現できず、このようなカメラシステムは撮影に不慣れな初心者にとっては不便である。
そこで、撮影時に液晶モニタを用いて撮影できる一眼レフデジタルカメラが提案されている（例えば、特許文献１を参照）。このカメラシステムでは、モニタ撮影モードにおいて、反射ミラーが光路外に退避し、撮像光学系からの光が撮像素子に入射する。これにより、液晶モニタにより被写体を観察することができる。
また一般に、一眼レフデジタルカメラの撮像素子は、通常のコンパクトデジタルカメラの撮像素子に比べてサイズが大きい。このため、撮像素子上に被写体の光学像が結像される際、焦点が合っている領域が少なく、被写界深度が浅くなる傾向にある。したがって、一眼レフデジタルカメラの場合、絞りを調整して被写界深度を確認することが重要となる。
【０００４】
そこで、例えば撮影条件を変更して撮影された複数の画像を並べて表示できるカメラシステムが提案されている（特許文献２）。
【特許文献１】特開２００１−１２５１７３号公報
【特許文献２】特開平６−６８０７号公報
【発明の開示】
【発明が解決しようとする課題】
【０００５】
しかしながら、特許文献２に記載のカメラシステムでは、撮影条件が異なる複数の画像およびその一部が単に並んでいるだけである。このため、比較したい部分が離れてしまい、画像の比較を行う際の利便性に欠ける。
本発明の課題は、複数の画像を並べて表示できるカメラシステムにおいて、利便性を高めることにある。
【課題を解決するための手段】
【０００６】
第１の発明に係るカメラシステムは、撮像光学系と、撮像部と、表示部と、表示制御部と、を備えている。撮像光学系は被写体の光学像を形成する。撮像部は、光学像を画像信号に変換し、被写体の画像を取得する。表示部は、撮像部で取得された複数の画像を並べて表示可能である。表示制御部は、撮像部により取得された第１画像の少なくとも一部を基準画像として表示部に表示させ、第１画像とは異なるタイミングで撮像部により取得された第２画像の少なくとも一部を比較画像として表示部に表示させる。表示制御部は、第１画像の少なくとも一部および第２画像の少なくとも一部のうち一方を、基準画像および比較画像のうちの一方として、所定の対称軸を基準に反転した状態で表示させる。
このカメラシステムでは、基準画像および比較画像のうち一方が反転した状態で表示されている。このため、異なるタイミングで取得された２枚の画像を、一方は反転しない状態で、他方は反転した状態で、並べて表示することができる。これにより、異なる撮影条件で撮影された２枚の画像のうち対応する部分を、ほぼ隣接した状態で比較することができ、画像を比較する際の利便性が高まる。
【０００７】
第２の発明に係るカメラシステムは、第１の発明に係るカメラシステムにおいて、表示制御部が、表示部の表示領域に想定された基準枠に基づいて、第１画像の少なくとも一部および第２画像の少なくとも一部を決定する。
第３の発明に係るカメラシステムは、第２の発明に係るカメラシステムにおいて、対称軸が基準枠の一部である。
第４の発明に係るカメラシステムは、第３の発明に係るカメラシステムにおいて、基準画像および比較画像が対称軸を挟んで並んだ状態で表示されている。
ここで、「対称軸を挟んで並んだ状態」とは、基準画像および比較画像が対称軸を挟んで接している状態の他に、基準画像および比較画像が対称軸を挟んで離れている状態も含んでいる。
【０００８】
第５の発明に係るカメラシステムは、第４の発明に係るカメラシステムにおいて、対称軸が基準画像および比較画像の境界線と一致している。
第６の発明に係るカメラシステムは、第５の発明に係るカメラシステムにおいて、表示制御部が対称軸に基づいて表示部における基準画像および比較画像の配置を決定する。
第７の発明に係るカメラシステムは、第６の発明に係るカメラシステムにおいて、外部から情報を入力可能な操作部をさらに備えている。第１画像における基準画像の範囲および第２画像における比較画像の範囲のうち一方に関する範囲情報が操作部に入力された場合、表示制御部は、範囲情報に基づいて基準画像および比較画像を表示部に表示させる。
第８の発明に係るカメラシステムは、第７の発明に係るカメラシステムにおいて、基準画像および比較画像のうち一方における対称軸の位置に関する対称軸情報が操作部に入力された場合、表示制御部は、対称軸情報に基づいて表示部に反転表示を行わせる。
【０００９】
第９の発明に係るカメラシステムは、第４の発明に係るカメラシステムにおいて、境界検出部をさらに備えている。境界検出部は、第１および第２画像のうち少なくとも一方における合焦領域と非合焦領域との境界を検出する。表示制御部は、境界検出部により検出された境界周辺を基準画像および比較画像として表示部に表示させる。
【発明の効果】
【００１０】
本発明に係るカメラシステムでは、上記の構成を有しているため、複数の画像を並べて比較する際の利便性を高めることができる。
【発明を実施するための最良の形態】
【００１１】
［第１実施形態］
以下、図面を参照しながら本発明の実施の形態について説明する。
＜1：カメラシステムの全体構成＞
本発明の第１実施形態に係るカメラシステム１００について説明する。図１に本発明の第１実施形態に係るカメラシステム１００の全体構成図を示す。
図１に示すカメラシステム１００は、交換レンズ式の一眼レフデジタルカメラシステムである。カメラシステム１００は、カメラ本体１と交換レンズユニット２とから構成される。
また、カメラシステム１００と交換レンズユニット２とは、それぞれに設けられた交換レンズユニット２側のレンズマウント２１の電気切片２２（図示せず）と、カメラシステム１００側のボディーマウント２３の電気切片２４（図示せず）とを介して、各種の制御信号の通信を行う。
【００１２】
（１．１：交換レンズユニットの構成）
交換レンズユニット２は、主に、撮像光学系Ｌと、撮像光学系Ｌの絞りを調整するための絞り設定部２９と、交換レンズユニット２の各種シーケンスを制御するレンズマイコン２０とから構成される。交換レンズユニット２は、レンズマウント２１を有し、カメラ本体１のボディ前面に設けられたボディーマウント２３に取り外し可能に装着される。
交換レンズユニット２は、被写体の光学像を形成するための撮像光学系Ｌを有する。また、交換レンズユニット２内の各種シーケンスをコントロールし、各種レンズ情報を保持しているレンズマイコン２０が搭載されている。交換レンズユニット２内には、フォーカスレンズ群２５を駆動制御するフォーカス制御部２６が搭載されている。さらに、絞りユニット２８を制御する絞り制御部２７が搭載されている。
【００１３】
撮像光学系Ｌは、主に、フォーカスレンズ群２５と、絞りユニット２８とから構成される。
絞り設定部２９は、主に、撮影者が回転操作することで絞り値を入力することができる絞りリング４０と、絞りリング４０の回転角度に応じた物理量を出力する絞りリニアセンサ４１と、絞り羽根を駆動する絞り駆動モータ２８ｂと、設定された絞り値となるように絞りを調整する絞り制御部２７とから構成される。
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、メモリ６９が搭載されており、メモリ６９に格納されたプログラムがＣＰＵに読み込まれることで、様々な機能を実現することができる。レンズマイコン２０は、フォーカス制御部２６、絞り制御部２７、シフト制御部４７等に対し、命令（例えば、制御信号やコマンド）を出力することで、フォーカス制御部２６、絞り制御部２７、シフト制御部４７等にそれぞれの制御を実行させる。また、レンズマイコン２０は、ボディーマイコン１２とインターフェースを介して接続され、ボディーマイコン１２とマイコン間通信を行う。
【００１４】
（１．２：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部４５と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２とから構成されている。
なお、ファインダ光学系１９が観察光学系をなし、クイックリターンミラー４が可動ミラーをなし、撮影モード切り換えボタンおよびボディーマイコンが撮影モード切換部をなし、絞り込みモードボタンおよびボディーマイコンが絞り込みモード設定部をなす。
交換レンズユニット２を通過した被写体光は、クイックリターンミラー４のメインミラー４ａにより２つの光束（反射光束および透過光束）に分割され、反射光束は、ファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
【００１５】
メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
カメラシステム１００内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示制御部１５は、撮像センサ１１より画像データを読み出し、所定の画像処理を行った後、液晶モニタ１６に撮影画像を表示させる。また、画像記録制御部１７は、図示せぬＳＤカードなどの記録媒体に対して、画像記録部１８を介して、撮影画像の読み書きを行う。
クイックリターンミラー４は、主に、入射光を反射および透過可能なメインミラー４ａと、メインミラー４ａの背面側に設けられメインミラー４ａからの透過光を反射するサブミラー４ｂとから構成されており、クイックリターンミラー制御部６０により光路Ｘ外に跳ね上げが可能である。クイックリターンミラー４は、図２に示す位置と、図３に示す位置とを移動可能に設置されている。また、メインミラー４ａにより、入射光は、２つの光束に分割され、反射光束はファインダ光学系１９へ導かれ、透過光束は、サブミラー４ｂで反射されて、焦点検出用ユニット５に導かれる。
【００１６】
ファインダ光学系１９は、主に、被写体像が結像されるファインダースクリーン６と、被写体像を正立像に変換するペンタプリズム７と、被写体の正立像をファインダ接眼窓９に導く接眼レンズ８と、撮影者が被写体像を観察するファインダ接眼窓９とから構成されている。
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部４５は、主に、光電変換を行うＣＣＤなどの撮像センサ１１と、撮像センサ１１を制御する撮像センサ制御部１３とから構成され、被写体像を撮影画像として取得する。撮像部４５により、入射光による被写体像が、撮影画像を形成する電気信号に変換される。
【００１７】
画像表示部は、液晶モニタ１６と、液晶モニタ１６の動作を制御する画像表示制御部１５とから構成されている。画像記録部１８は、例えば、図示せぬカード型記録媒体に対して撮影画像の記録および再生を行う。画像記録部１８は、画像記録部１８の動作を制御する画像記録制御部１７により制御される。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。ボディーマイコン１２は、シャッター制御部１４、撮像センサ制御部１３、画像表示制御部１５、画像記録制御部１７等に対し、命令（例えば、制御信号やコマンド）を出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
【００１８】
（１．３：ファインダ撮影モードとモニタ撮影モード）
このカメラシステム１００は、撮影モードとして、ファインダ撮影モードとモニタ撮影モードとを有する。ファインダ撮影モードは、撮影者がファインダ接眼窓９を介して被写体を観察しながら撮影するモードであり、従来の一眼レフカメラにおける通常の撮影モードである。
このファインダ撮影モードにおいては、図２に示すように、クイックリターンミラー４は、光路Ｘ内の所定位置に配置されており、被写体光は、ファインダ光学系１９に導かれるので、撮影者等は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
【００１９】
モニタ撮影モードは、撮影者が液晶モニタ１６に表示される被写体を観察しながら撮影するモードである。モニタ撮影モードでは、図３に示すように、クイックリターンミラー４が光路Ｘ内から退避する。液晶モニタ１６には、撮像センサ１１を介して被写体の画像、いわゆるスルー画像が表示される。
（１．４：交換レンズユニットの上面の構成）
図４は、本発明の第１実施形態に係る交換レンズユニット２を取り付けたカメラシステム１００の上面図である。なお、図４に示すように、Ｘ軸、Ｙ軸およびＺ軸を定義する（撮像光学系Ｌを構成するレンズの光軸と平行にＺ軸をとる）。
カメラシステム１００は、被写体を撮影する際に撮影者等により支持される筐体を有する。このカメラシステム１００は、レリーズボタン３０と、シャッタースピード設定ダイヤル３１とを含む。レリーズボタン３０と、シャッタースピード設定ダイヤル３１とは、カメラ本体１の上面の右側に設けられている。
【００２０】
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
また、カメラシステム１００本体は、液晶モニタ１６を含む。液晶モニタ１６は、カメラシステム１００本体の撮影者等側の面に設けられている。液晶モニタ１６の作用については後述する。
交換レンズユニット２は、最も被写体側（Ｚ軸方向正側）に、フィルタマウント３７を持つ。交換レンズユニット２は、フィルタマウント３７からカメラシステム１００本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
【００２１】
（１．５：カメラ本体の背面の構成）
図５は、本発明の第１実施形態に係るカメラシステム１００の背面図である。カメラシステム１００本体は、電源ボタン７０、撮影／再生モード切り替えレバー７１、ＭＥＮＵボタン７２、十字操作キー７３、ＳＥＴボタン７４、及び深度確認ボタン７６を含む。
電源ボタン７０は、カメラシステム１００の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラシステム１００において、被写体を新たに撮影して画像信号にするために設定されるモードである。また、再生モードとは、カメラシステム１００において、既に撮影して格納されている画像信号を表示させるために設定されるモードである。
【００２２】
ＭＥＮＵボタン７２は、液晶モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
深度確認ボタン７６は、後述する深度確認モードへ移行させるためのボタンである。カメラシステム１００では、撮影者がこの深度確認ボタン７６を押すことにより、絞り込みモードへと移行される。
（１．６：絞りについて）
絞りリング４０は、円筒形状である。図６（ａ）は、本発明の第１実施形態に係る絞りリングの外周面の展開図、図６（ｂ）は、本発明の第１実施形態に係る絞りリングの内周面の展開図である。
【００２３】
図４および図６（ａ）に示すように、絞りリング４０の外周面には、絞り値が表示されている。絞り値の表示領域は、２つの領域に分かれている。図６（ａ）中、「２」から「１１」までの１ＡＶ（Ａｐｅｒｔｕｒｅ  Ｖａｌｕｅ）ごとの表示部分がマニュアル領域の絞り値に対応する。また、図６（ａ）中、「Ａ」の表示部分がオート領域の絞り値に対応する。図４および図６（ｂ）に示すように、絞りリング４０は、内周面に直線のカム溝４２を持つ。なお、絞り値については、１ＡＶごとの選択に限定されるものではない。
また、交換レンズユニット２は、その内部に絞りユニット２８を有する。絞りユニット２８は、内部に絞り羽根（図示せず）を駆動するための絞り駆動モータ２８ｂを含む。絞り駆動モータ２８ｂは、後述する制御により、絞りリング４０の回転角度に応じて絞り羽根を駆動する。この絞り羽根が駆動されることにより、撮像光学系Ｌの絞り値が変更される。
【００２４】
図７は、本発明の第１実施形態に係る絞りリング４０と絞りリニアセンサ４１との結合を示す部分断面図である。絞りリニアセンサ４１は、絞りリング４０の半径方向外側に突出する円筒形状の摺動子４１ａを含む。絞りリング４０に形成されたカム溝４２は、絞りリニアセンサ４１の摺動子４１ａと結合する。
この絞りリニアセンサ４１は、主に、図８（ａ）に示すように可変抵抗器を有する回路により構成される。図８（ａ）における端子Ｔ２は、図７の摺動子４１ａに接続されており、端子Ｔ２およびＴ３は、図７の絞りリニアセンサの両端部４１ｂおよび４１ｃにそれぞれ接続されている。端子Ｔ１，Ｔ３間に所定の電圧を印可すると、絞りリニアセンサ４１に設けられた円筒状の摺動子４１ａが、絞りリニアセンサ４１内にある磁気抵抗体（図示せず）上をスライドすることにより、端子Ｔ２の出力（出力電圧）は、図８（ｂ）に示すようにリニアに変化する。
【００２５】
図９は、本発明の第１実施形態に係る絞りリング４０の回転角度と絞りリニアセンサ４１の出力値（出力電圧値）との関係を示すグラフである。図４および図６において、絞りリング４０を回転させて、絞りリング４０上の文字「２」が表示されている位置を、指標３３の位置と一致させた場合、絞りリニアセンサ４１の摺動子４１ａは、カム溝４２上のＰの位置にある。その場合、絞りリニアセンサ４１の出力値（出力電圧値）は、Ｐ‘となる。つまり、絞りリング４０上の文字「２」が表示されている位置を指標３３の位置と一致させた場合の絞りリング４０の回転角度に対応する、絞りリニアセンサ４１の出力電圧値は、Ｐ’となる。
同様に、絞りリング４０を回転させて、絞りリング４０上の文字「２．８」、「４」、「５．６」、「８」、「１１」および「Ａ」が表示されている位置を、指標３３の位置と一致させた場合、絞りリニアセンサ４１の摺動子４１ａのカム溝４２上の位置は、それぞれ、Ｑ、Ｒ、Ｓ、Ｔ、ＵおよびＶの位置にある。その場合、絞りリニアセンサ４１の出力値（出力電圧値）は、それぞれ、Ｑ‘、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合の絞りリング４０の回転角度に対応する、絞りリニアセンサ４１の出力電圧値は、それぞれ、Ｑ‘、Ｒ’、Ｓ’、Ｔ’、Ｕ’およびＶ’となる。
【００２６】
このように、絞りリニアセンサ４１は、絞りリング４０の回転角度と一対一で対応する出力（出力電圧値）を示す。したがって、絞りリニアセンサ４１により、絞りリング４０の回転角度を検出することができる。絞りリニアセンサ４１は、回転角度に応じた絞り値信号を電圧変化として出力する。
（１．７：カメラ本体の制御システム）
図１０は、本発明の第１実施形態に係るカメラシステム１００の制御システムを示すブロック図である。
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、深度確認ボタン７６とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を持つ。
【００２７】
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、ＣＣＤ（Ｃｈａｒｇｅ  Ｃｏｕｐｌｅｄ  Ｄｅｖｉｃｅ）等により構成される。撮像センサ１１は、交換レンズユニット２の撮像光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
【００２８】
画像信号は、撮像センサ１１から、アナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）等により構成される。
【００２９】
バッファメモリ５４から出力された画像信号は、画像記録制御部１７からの命令に従って、画像圧縮部５６に送信される。画像圧縮部５６は、画像記録制御部１７の命令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
圧縮された画像信号は、画像圧縮部５６から画像記録部１８及び液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて液晶モニタ１６を制御する。
【００３０】
画像記録部１８は、画像記録制御部１７の命令に基づいて、画像信号を内部メモリ及び／又はリムーバブルメモリに記録する。画像記録部１８は、画像記録制御部１７の命令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報および撮影モード情報を含む。
液晶モニタ１６は、画像表示制御部１５の命令に基づいて、画像信号を可視画像として表示する。液晶モニタ１６は、画像表示制御部１５の命令に基づいて、画像信号とともに表示すべき情報を、表示する。画像信号とともに表示すべき情報は、焦点距離情報，シャッタースピード情報，絞り値情報，撮影モード情報および合焦状態情報の表示を含む。
また、液晶モニタ１６は、画像表示制御部１５の命令に基づいて、所定の撮影／再生モードにおいて、撮影者等により設定されるべき設定画面を表示する。
【００３１】
撮影者等が撮影する場合には、電源ボタン７０をＯＮにし、撮影／再生モード切り替えレバー７１を撮影モードに合わせる。これによりカメラシステム１００本体の電源が入り、液晶モニタ１６には、撮像センサ１１により電気的な画像信号に変換された被写体の光学像が可視画像として、画像表示制御部１５の命令に基づいて表示される。
カメラシステム１００が撮影モードにある状態において、撮影者等がＭＥＮＵボタン７２を押すと、液晶モニタ１６は、画像表示制御部１５の命令に基づき、撮影モードにおいて撮影者等により変更可能な設定の項目を、アイコン化した設定メニュー画像として表示する。
（１．８：交換レンズユニットの制御システム）
図１１は、本発明の第１実施形態に係る交換レンズユニット２内の制御システムを示すブロック図である。
【００３２】
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を撮像光学系Ｌの焦点距離情報に変換する。ズーム制御部６２は、焦点距離情報をレンズマイコン２０へ送信する。
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの命令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００３３】
絞り制御部２７は、絞りリニアセンサ４１から信号を受信可能であり、Ａ／Ｄ変換部６７を介して、絞り駆動モータ２８ｂへ信号を送信可能である。絞り制御部２７は、絞りリニアセンサ４１により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの命令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
＜２：カメラシステムの動作＞
（２．１：カメラシステム１００の撮影動作（ファインダ撮影モード））
次に、カメラシステム１００の撮影動作について説明する。まず、図１、図２、図１０および図１１に基づき、撮影者等が、ファインダ接眼窓９を覗いて撮影するファインダ撮影モードにおける駆動シーケンスについて説明する。
【００３４】
撮影者等のレリーズボタン３０の半押し動作により、カメラシステム１００内のボディーマイコン１２および各種ユニットには、電源が供給される。電源供給により起動するカメラシステム１００内のボディーマイコン１２は、同じく電源供給で起動する交換レンズユニット２内のレンズマイコン２０より、レンズマウント２１およびボディーマウント２３を介して、各種レンズデータを受け取り、内蔵するメモリ６８に保存する。次に、ボディーマイコン１２は、焦点検出用ユニット５より、焦点ずれ量（以後、「Ｄｆ量」という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３５】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、液晶モニタ１６に撮影画像として表示される。また、撮像センサ１１から読み出され、所定の画像処理を実行された画像データは、画像記録部１８を介して、記憶媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
【００３６】
（２．２：モニタ撮影モードの動作）
次に、図１、図３、図１０および図１１に基づき、撮影者等が液晶モニタ１６を用いて撮影するモニタ撮影モードにおける駆動シーケンスについて説明する。
液晶モニタ１６を用いて撮影する場合、撮影者は、撮影モード切り替えボタン７５を操作して、モニタ撮影モードに設定する。モニタ撮影モードに設定されると、ボディーマイコン１２は、クイックリターンミラー４を光路Ｘ内から退避させる。これにより、被写体からの光が撮像センサ１１に達するので、撮像センサ１１は、撮像センサ１１上に結像される被写体からの光を画像データに変換し、画像データとして取得し、出力することができる。撮像センサ制御部１３により撮像センサ１１から読み出された画像データは、所定の画像処理を実行された後、液晶モニタ１６に撮影画像として表示される。このように、撮影画像を液晶モニタ１６に表示させることにより、撮影者等は、ファインダ接眼窓９を覗くことなく、被写体を追いかけることが可能となる。
【００３７】
次に、撮影者等のレリーズボタン３０の半押し動作により、カメラシステム１００のボディーマイコン１２は、交換レンズユニット２内のレンズマイコン２０より、レンズマウント２１およびボディーマウント２３を介して、各種レンズデータを受け取り、内蔵するメモリ６８に保存する。次に、ボディーマイコン１２は、クイックリターンミラー制御部６０により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３８】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理が実行された後、液晶モニタ１６に撮影画像として表示される。また、撮像センサ１１から読み出され、所定の画像処理が施された画像データは、画像記録部１８を介して、記憶媒体に画像データとして書き込まれる。また、露光終了後、クイックリターンミラー４は、光路Ｘ内から退避した状態に位置しているので、引き続き、撮影者は、モニタ撮影モードにより、被写体を液晶モニタ１６上の撮影画像として見ることができる。
【００３９】
また、モニタ撮影モードを解除する場合には、撮影者が、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される。また、カメラシステム１００（例えば、一眼レフデジタルカメラ）本体の電源を切断する際にも、クイックリターンミラー４は、光路Ｘ内の所定位置に戻される。
（２．３：カメラシステムの露出設定動作）
次に、図４、図１０を用いて、カメラシステム１００の露出設定動作について説明する。カメラシステム１００は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【００４０】
カメラシステム１００の操作を行う撮影者等は、絞りリング４０を所定の回転角度とシャッタースピード設定ダイヤル３１の回転角度とを組み合わせて設定することにより、４つの露出設定モードを選択することができる。すなわち、撮影者等は、絞りリング４０の文字「Ａ」を指標３３と一致させた状態で、シャッタースピード設定ダイヤル３１をオートの位置に合わせることで、プログラム撮影モードに設定することができる。撮影者等は、絞りリング４０の文字「Ａ」を指標３３と一致させた状態で、シャッタースピード設定ダイヤル３１をマニュアル設定可能な位置に合わせることで、シャッタースピード優先撮影モードに設定することができる。撮影者等は、絞りリング４０の文字「２」〜「１１」のいずれかを指標３３と一致させた状態で、シャッタースピード設定ダイヤル３１をオートの位置に合わせることで、絞り優先撮影モードに設定することができる。撮影者等は、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
【００４１】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．４：オート絞りモードの露出設定動作）
絞りリニアセンサ４１は、回転角度に応じた信号を絞り制御部２７へ出力する。絞りリング４０の文字「Ａ」を指標３３と一致させた状態にあるとき、撮影者によりレリーズボタン３０が操作されると、絞り制御部２７は、絞りリニアセンサ４１から受信した信号に基づいて露出設定モードがオート絞りモードであると判断する。判断した結果は、レンズマイコン２０およびボディーマイコン１２へ送信される（ボディーマイコン１２への送信は、レンズマイコン２０とボディーマイコン１２とのマイコン間通信を介して行われる。）。
【００４２】
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
ボディーマイコン１２は、デジタル信号処理部５３へ命令を送信する。デジタル信号処理部５３は、受信した命令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００４３】
ボディーマイコン１２は、演算結果に基づいて制御信号を生成する。ボディーマイコン１２は、演算された絞り値に基づく制御信号を、交換レンズユニット２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容がプログラム撮影モードを指示するものであるとき、露出設定モードがプログラム撮影モードである旨の表示を行う。液晶モニタ１６、制御信号の内容がシャッタースピード優先撮影モードを指示するものであるとき、露出設定モードがシャッタースピード優先撮影モードである旨の表示を行う。
【００４４】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のオート絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４５】
画像記録部１８は、画像記録制御部１７の命令に基づいて、制御信号の内容がプログラム撮影モードを指示するものであるとき、画像信号とともに露出設定モードがプログラム撮影モードである旨の情報を内部メモリ及び／又はリムーバブルメモリに記録する。画像記録部１８は、画像記録制御部１７の命令に基づいて、制御信号の内容がシャッタースピード優先撮影モードを指示するものであるとき、画像信号とともに露出設定モードがシャッタースピード優先撮影モードである旨の情報を内部メモリ及び／又はリムーバブルメモリに記録する。
（２．５：マニュアル絞りモードの露出設定動作）
次に、絞りリング４０の文字「２」〜「１１」のいずれかの位置を指標３３と一致させた状態にあるとき、撮影者によりレリーズボタン３０が操作されると、絞り制御部２７は、絞りリニアセンサ４１から受信した信号に基づいて露出設定モードがマニュアル絞りモードであると判断する。判断した結果は、レンズマイコン２０へ送信される。また、シャッタースピード設定ダイヤル３１は、回転角度に応じた信号をボディーマイコン１２へ出力する。
【００４６】
ボディーマイコン１２は、絞り制御部２７から受信した判断結果と、シャッタースピード設定ダイヤル３１からの信号とに基づいて、露出設定モードがマニュアル絞りモードであることを認識する。
レンズマイコン２０は、絞り制御部２７に対して、絞りリング４０の回転角度より検出した絞り値情報を要求する。絞り制御部２７は、レンズマイコン２０からの命令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。ボディーマイコン１２は、露出設定モードが絞り優先撮影モードである場合、デジタル信号処理部５３へ命令を送信する。デジタル信号処理部５３は、受信した命令に基づいて所定のタイミングで画像信号をボディーマイコン１２へ送信する。
【００４７】
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容が絞り優先撮影モードを指示するものであるとき、露出設定モードが絞り優先撮影モードである旨の表示を行う。液晶モニタ１６は、制御信号の内容がマニュアル撮影モードを指示するものであるとき、露出設定モードがマニュアル撮影モードである旨の表示を行う。
【００４８】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のマニュアル絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４９】
画像記録部１８は、画像記録制御部１７の命令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部１８は、画像記録制御部１７の命令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
（２．６：深度確認モードの動作）
このカメラシステム１００では、絞り値の異なる複数の画像を並べて比較できるように、深度確認モードがさらに設けられている。図１２および図１３を用いて深度確認モードにおける具体的な動作について説明する。図１２は深度確認モードにおけるフローチャートである。図１３は液晶モニタ１６に表示される画像の一例である。
【００５０】
図１２に示すように、カメラシステム１００のボディーマイコン１２により、深度確認ボタン７６（図５）が押されたか否かが判断される（ステップＳ１）。深度確認ボタン７６が押された場合には、深度確認モードに移行する。具体的には、撮影モードがモニタ撮影モードであるか否かがボディーマイコン１２により判断される（ステップＳ２）。撮影モードがモニタ撮影モードである場合、例えば図１２（ａ）に示すように、液晶モニタ１６には被写体のライブ画像が表示されている（ステップＳ３）。一方、撮影モードがファインダ撮影モードである場合、モニタ撮影モードに切り換えられ、液晶モニタ１６に被写体のライブ画像が表示される（ステップＳ３、Ｓ４）。このとき、深度確認モードに移行した際（深度確認ボタン７６が押された際）に絞りリング４０により設定されている絞り値（例えばＦ８）にて、液晶モニタ１６に被写体のライブ画像が表示されている。
【００５１】
次に、比較する際の基準となる基準画像の設定が行われる。具体的には図１２（ａ）に示すように、比較したい領域を設定するための基準枠５１が液晶モニタ１６に表示される。十字操作キー７３を操作することで、表示領域１６ａの右側および左側に基準枠５１を移動させることができる。このとき、基準枠５１の位置に応じて、反転処理のための対称軸５１ａが自動的に選択される。具体的には図１２（ａ）に示すように、基準枠５１が左側に配置されている場合、基準枠５１の右側の辺が対称軸５１ａとして自動的に選択される。基準枠５１が右側に配置されている場合、基準枠５１の左側の辺が対称軸５１ａとして自動的に選択される。例えば、十字操作キー７３により基準枠５１の位置が左側に変更され、ＳＥＴボタン７４が押されると、基準枠５１の位置が図１２（ａ）に示す位置に設定され、それと同時に、基準枠５１の右側の辺が対称軸５１ａとして設定される（ステップＳ５）。
【００５２】
また、ＳＥＴボタン７４が押されると、被写体の画像が撮像部４５により取得される（ステップＳ６）。取得された画像はボディーマイコン１２のメモリ６８に画像データとして一時的に格納される。格納された画像データのうち、基準枠５１に対応する領域の画像Ａ１がボディーマイコン１２により抜き出される。ボディーマイコン１２において、抜き出された画像Ａ１に対して対称軸５１ａを基準に反転処理が施され、基準画像Ａが生成される（ステップＳ７）。基準画像Ａはメモリ６８に格納され、ボディーマイコン１２から画像表示制御部１５に送信される。画像表示制御部１５により表示領域１６ａの右半分に基準画像Ａが表示される。基準画像Ａの上側には絞り値「Ｆ８」が表示されている。基準画像Ａの表示状態は絞り値が決定するまで保持される。
ここで、例えば対称軸５１ａと基準画像Ａとの位置関係に基づいて、ボディーマイコン１２により基準画像Ａの表示位置が決定される。具体的には図１２（ｂ）に示すように、対称軸５１ａは基準画像Ａの左側に配置されている。このため、対称軸５１ａが後述する比較画像Ｂの近くに配置されるように、ボディーマイコン１２により基準画像Ａの表示位置は表示領域１６ａの右側に決定される。なお、基準画像Ａの表示位置は、対称軸５１ａと基準枠５１との位置関係や、表示領域１６ａと基準枠５１との位置関係など、他の条件に基づいて決定されてもよい。
【００５３】
次に、表示領域１６ａの左半分に被写体のライブ画像である比較画像Ｂが表示される（ステップＳ８）。右半分は基準画像Ａが表示されているため、この比較画像Ｂは被写体のライブ画像の左半分に相当する。言い換えると、ライブ画像において基準枠５１に相当する範囲の画像が比較画像Ｂとして表示されている。基準画像Ａおよび比較画像Ｂは対称軸５１ａを挟んだ状態で並んで配置されている。基準画像Ａと比較画像Ｂとは互いに接しており、対称軸５１ａは基準画像Ａと比較画像Ｂとの境界線と一致している。このため、被写体の構図が大きく変わらない場合は、図１２（ｂ）に示すように、ほぼ同じ被写体の画像が対称軸５１ａを基準として線対称に表示される。ここでは、基準画像Ａは絞り値Ｆ８で撮影された静止画像であるのに対して、比較画像Ｂは絞りリング４０で設定されている絞り値（この状態では絞り値はＦ８）で撮影されたライブ画像である。比較画像Ｂの上側には絞りリング４０により設定されている絞り値が表示される。
【００５４】
次に、深度確認ボタン７６が操作されたか否かが判断される（ステップＳ９）。深度確認ボタン７６が押された場合、撮像部４５により画像が最終画像Ｃとして取得され、最終画像Ｃが画像記録部１８に記憶される（ステップＳ１０）。
一方、深度確認ボタン７６が操作されず、撮影者により絞りリング４０が操作された場合、絞り制御部２７により絞りリング４０の回転角度が検出され、絞りリング４０により設定された絞り値が検出される（ステップＳ１１、Ｓ１２）。絞り制御部２７により絞り駆動モータ２８ｂが駆動され、撮像光学系Ｌの絞り値が絞りリング４０により設定された絞り値（例えばＦ２２）に調節される（ステップＳ１３）。これにより、図１２（ｂ）に示すように、液晶モニタ１６の右半分に比較画像Ｂとして、絞り値がＦ２２である被写体のライブ画像が表示される（ステップＳ１３）。このとき、比較画像Ｂの上部に変更後の絞り値「Ｆ２２」が表示されている。この状態で、撮影者は基準画像Ａと比較画像Ｂとを比較することができる。
【００５５】
例えば、基準画像Ａの絞り値はＦ８であるため、基準画像Ａは人物に比べて背景がぼやけた被写界深度の浅い画像となる。一方、比較画像Ｂの絞り値はＦ２２であるため、比較画像Ｂは人物および背景に焦点が合った被写界深度の深い画像となる。基準枠５１の対称軸５１ａを基準に基準画像Ａは反転されているため、異なる絞り値で撮影された２枚の画像のうち対応する部分をほぼ隣接した状態で比較することができる。
例えば、絞り値Ｆ８およびＦ２２の画像の背景を近くに並べた状態で比較でき、いずれの絞り値が好ましいか判断しやすくなる。これにより、このカメラシステム１００では複数の画像を比較する際の利便性を高めることができる。
撮影者が他の絞り値の画像を比較画像Ｂとして表示領域１６ａに表示させたい場合、必要に応じて絞りリング４０が調節され絞り値が変更される（ステップＳ１１）。絞り値が変更された場合、ステップＳ１２〜Ｓ１３が繰り返され、異なる絞り値の画像が比較画像Ｂとして表示領域１６ａに表示される。
【００５６】
撮影者が好みの絞り値を見つけた場合、深度確認ボタン７６が押され絞り値が決定される（ステップＳ９）。深度確認ボタン７６が押されると、撮像部４５により画像が最終画像Ｃとして取得され、最終画像Ｃが画像記録部１８に記憶される（ステップＳ１０）。このとき、図１２（ｃ）に示すように、最終画像Ｃが液晶モニタ１６の表示領域１６ａに絞り値とともに表示される。
＜３：効果＞
カメラシステム１００により得られる効果は以下の通りである。
（１）
このカメラシステム１００では、基準画像Ａおよび比較画像Ｂが並んだ状態で表示されており、基準画像Ａが反転した状態で表示されている。これにより、異なる撮影条件で撮影された２枚の画像の対応する部分をほぼ隣接した状態で比較することができ、画像を比較する際の利便性が高まる。
【００５７】
（２）
また、基準画像Ａおよび比較画像Ｂが対称軸５１ａを挟んだ状態で並んでおり、基準画像Ａおよび比較画像Ｂの境界線が対称軸５１ａと一致している。このため、基準画像Ａおよび比較画像Ｂの対応する部分の比較がより容易となる。
［第２実施形態］
前述の実施形態では、深度確認モードにおいて基準枠５１の大きさ、位置および対称軸５１ａの位置がデフォルトで決められているが、これらの要素を撮影者が設定できる場合も考えられる。図１４および図１５を用いて深度確認モードの別の実施形態について説明する。図１４は第２実施形態に係る深度確認モードのフローチャートである。図１５は液晶モニタ１６に表示される画像の一例である。
【００５８】
なお、前述の実施形態と実質的に同じ機能を有する構成については、同じ符号を付し、その説明は省略する。
ここでは、前述の実施形態に比べて、基準枠１５１および対称軸１５１ａを撮影者がより自由に選択することができる。具体的には図１４に示すように、深度確認モードに移行した際に絞りリング４０により設定されている絞り値（例えばＦ８）にて、液晶モニタ１６に被写体のライブ画像が表示される（ステップＳ４）。図１５（ａ）に示すように、比較したい領域を設定するための基準枠１５１が液晶モニタ１６に表示される。
例えば、基準枠１５１は、前述の基準枠５１よりも小さく、十字操作キー７３を操作することで上下左右へ表示領域１６ａ内を移動させることができる。また、十字操作キー７３あるいは図示しない別のボタンで基準枠１５１の大きさを変更できる構成も考えられる。このように、基準枠１５１のような基準画像Ａとして表示させる範囲情報が十字操作キー７３などの操作部から入力可能となっている。
【００５９】
ＳＥＴボタン７４により基準枠１５１の位置および大きさが設定されると、対称軸１５１ａの設定が行われる（ステップＳ１０５、Ｓ１０６）。具体定には例えば、基準枠１５１の４つの辺のうち一辺が対称軸１５１ａの候補として点滅する。十字操作キー７３により対称軸１５１ａとして点滅する辺を他の辺に変更することができる。ここでは、図１５（ａ）に示すように、基準枠１５１の左側の辺が対称軸１５１ａとして選択される。ＳＥＴボタン７４が押されると、対称軸１５１ａの位置が設定され、被写体の画像が撮像部４５により取得される（ステップＳ１０６、Ｓ６）。前述の実施形態と同様に、基準枠１５１で囲まれている領域内の画像Ａ１１に対して対称軸１５１ａを基準に反転処理が施され、基準画像Ａが生成される（ステップＳ７）。
この場合、基準枠１５１の位置、大きさおよび対称軸１５１ａの位置を決定することができるため、比較したい部分を細かく選択することができる。これにより、比較する際の利便性がさらに高まる。
【００６０】
［他の実施の形態］
本発明の具体的な構成は、前述の実施形態に限られるものではなく、発明の要旨を逸脱しない範囲で種々の変更および修正が可能である。
（１）
前述の実施形態では、撮影者により基準枠の選択及び設定が行われているが、基準枠の選択方法はこれに限られない。例えば、被写体までの距離が異なる境界領域を多く含む領域を検出し、その検出結果に基づいて自動的に基準枠が設定される構成であってもよい。具体的には例えば、焦点検出用ユニット５により１枚の画像において複数点のＤｆ量が検出される。このＤｆ量に基づいて、ボディーマイコン１２により１枚の画像の中でＤｆ量の差が大きい（合焦領域と非合焦領域の差の大きい）領域が検出される。Ｄｆ量の差の大きい領域が自動的に基準枠として設定される。
【００６１】
この場合、前述のような方法で自動的に基準枠が設定されるため、比較対象として最適な基準画像を迅速に選択することができる。これにより、画像を比較する際の利便性がさらに高まる。
（２）
前述の実施形態では、交換レンズユニット２に搭載された絞りリング４０を用いて絞り値の変更が行われている。しかし、絞りリング４０の代わりに、カメラ本体１に搭載されたダイヤルやボタンなどの操作部を用いて絞り値を変更できる構成であってもよい。また、カメラ本体１に搭載された操作部は、絞り値を変更するための操作部でなくとも、他の目的で使用される操作部と兼用であってもよい。
（３）
前述の実施形態では、液晶モニタ１６に表示する画像は、撮像センサ１１により取得されている。しかし、ファインダ光学系内に配置された別の撮像センサが用いられてもよい。この場合、モニタ撮影モードにおいて、クイックリターンミラー４を光路Ｘ外へ退避させる必要がない。また、クイックリターンミラー４およびファインダ光学系１９などの構成および配置は、前述の構成および配置などに限定されない。
【００６２】
（４）
前述の実施形態では、深度確認ボタン７６を１回押せば深度確認モードに移行し、深度確認ボタン７６もう１回押せば深度確認モードが解除される。しかし、深度確認ボタン７６を押している間のみ、深度確認モードを継続させるような構成であってもよい。
（５）
前述の実施形態では、比較画像Ｂが被写体のライブ画像であるが、比較画像Ｂも基準画像Ａと同様に静止画であってもよい。例えば、比較画像Ｂがライブ画像として液晶モニタ１６に表示されている状態で、図示しないボタンが押されると、ボタンが押された際の静止画が比較画像Ｂとして表示されてもよい。この場合、比較画像Ｂが動かないため、被写体によっては画像の比較がさらに容易となる。
【００６３】
また、例えば、撮影した画像を再生させる再生モードにおいて、液晶モニタ１６に異なる絞り値で撮影された画像を左右並べて表示させる構成であってもよい。これにより、撮影者は絞り値と撮影された画像との関連性を感覚的に知ることができ、次に撮影するときの参考とすることができる。
（６）
前述の実施形態では、反転された画像が基準画像Ａとして表示されている。しかし、反転された画像が比較画像Ｂとして表示される場合も考えられる。また、これにより、撮影者のニーズに幅広く対応することができる。
（７）
前述の実施形態では、撮影条件として絞り値を変更させているが、撮影条件はこれに限定されない。例えば、比較する画像が異なるシャッタースピードで撮影された複数の画像であってもよい。この場合、再生モードにおいて一方の画像が反転された状態で２枚の画像が並んで表示される。これにより、シャッタースピードが異なる複数の画像の比較が容易となり、利便性が高まる。
【００６４】
また、連続撮影された複数の画像を比較する場合も考えられる。この場合、撮影状況に応じて撮影条件が最適化された風景撮影、夜景撮影、マクロ撮影などの種々の撮影モードが自動的に切り替られ、連続撮影が行われる。これらの画像は液晶モニタ１６に一方が反転された状態で並べて再生モードにて表示される。これにより、様々なモードで撮影された画像を比較するのが容易となる。
（８）
前述の実施形態では、カメラシステム１００として一眼レフカメラを例に説明をしている。しかし、カメラシステム１００の実施形態はこれに限定されない。例えば、このカメラシステム１００は、コンパクトカメラに適用することも可能である。特に、大きなサイズの撮像素子を有するコンパクトカメラについて適用した場合、基準枠５１の位置および範囲などの選択の自由度が高いため、このカメラシステム１００は有効である。
【００６５】
（９）
前述の実施形態では、基準画像Ａと比較画像Ｂとが接した状態で液晶モニタ１６に表示されている。また、基準画像Ａおよび比較画像Ｂの間の境界線と対称軸５１ａとが一致している。しかし、対称軸を挟んだ状態で基準画像Ａおよび比較画像Ｂが離れて表示されている場合も考えられる。
また、基準画像Ａおよび比較画像Ｂは左右に並んでいるが、基準画像Ａおよび比較画像Ｂが上下や斜めに並んでいる場合も考えられる。この場合でも前述の実施形態と同様の効果が得られる。
（１０）
なお、液晶モニタ１６に並べて表示される２つの画像は、異なる絞り値で撮影される場合だけでなく、同じ絞り値である場合も考えられる。
【００６６】
（１１）
なお、上記説明に用いた座標軸、方向等は、本発明の使用状態を限定するものではない。
【産業上の利用可能性】
【００６７】
本発明に係るカメラシステムは、画像を比較する際の利便性を高めることできる。このため、複数の画像を並べて表示できる機能を有するカメラシステムとして有用である。
【図面の簡単な説明】
【００６８】
【図１】本発明の第１実施形態に係る交換レンズユニットとデジタルカメラ本体の制御システムを示すブロック図
【図２】本発明の第１実施形態に係るファインダ撮影モードを説明する概念図
【図３】本発明の第１実施形態に係るモニタ撮影モードを説明する概念図
【図４】本発明の第１実施形態に係るデジタルカメラの上面図
【図５】本発明の第１実施形態に係るデジタルカメラの背面図
【図６】（ａ）は、本発明の第１実施形態に係る絞りリングの外周面の展開図、（ｂ）は、本発明の第１実施形態に係る絞りリングの内周面の展開図
【図７】本発明の第１実施形態に係る絞りリングと絞りリニアセンサの結合を示す部分断面図
【図８】（ａ）は、本発明の第１実施形態のレンズ鏡筒の絞りリニアセンサの回路図、（ｂ）は、本発明の第１実施形態のレンズ鏡筒の絞りリニアセンサの出力を表すグラフ
【図９】本発明の第１実施形態に係る絞りリングの回転角度と絞りリニアセンサの出力値の関係を示すグラフ
【図１０】本発明の第１実施形態に係るデジタルカメラ内の制御システムを示すブロック図
【図１１】本発明の第１実施形態に係る交換レンズユニット内の制御システムを示すブロック
【図１２】本発明の第１実施形態に係る深度確認モードのフローチャート
【図１３】本発明の第１実施形態に係る液晶モニタの表示例
【図１４】本発明の第２実施形態に係る深度確認モードのフローチャート
【図１５】本発明の第２実施形態に係る液晶モニタの表示例
【符号の説明】
【００６９】
Ｌ  撮像光学系
Ｄｆ  焦点ずれ量
Ｘ  光路
１  カメラ本体
２  交換レンズユニット
４  クイックリターンミラー
９  ファインダ接眼窓
１０  シャッターユニット
１１  撮像センサ
１２  ボディーマイコン
１４  シャッター制御部
１５  画像表示制御部
１６  液晶モニタ（表示部）
１８  画像記録部
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
６０  クイックリターンミラー制御部
６１  クイックリターンミラー駆動モータ
６２  ズーム制御部
６５  フォーカス駆動モータ
７１  撮影／再生モード切り替えレバー
７２  ＭＥＮＵボタン
７５  撮影モード切り替えボタン
７６  深度確認ボタン
【図１】
2008294981.tif 000003
【図２】
2008294981.tif 000004
【図３】
2008294981.tif 000005
【図４】
2008294981.tif 000006
【図５】
2008294981.tif 000007
【図６】
2008294981.tif 000008
【図７】
2008294981.tif 000009
【図８】
2008294981.tif 000010
【図９】
2008294981.tif 000011
【図１０】
2008294981.tif 000012
【図１１】
2008294981.tif 000013
【図１２】
2008294981.tif 000014
【図１３】
2008294981.tif 000015
【図１４】
2008294981.tif 000016
【図１５】
2008294981.tif 000017